(57)【要約】【課題】コネクタ取付部のコネクタの位置と、バーンインボードの先端部との位置関係に多少のずれがあったとしても、バーンインボードやコネクタに損傷が生じるのを回避したバーンイン装置を提供する。【解決手段】バーンイン装置は、バーンインボードの先端部が挿入され、前記バーンインボード上の配線と電気的に接続されるコネクタが設けられた、コネクタ取付部と、前記コネクタ取付部が取り付けられる、固定的に設けられた、被取付部と、前記被取付部にコネクタ取付部を移動可能に取り付けるための可動取付機構であって、前記コネクタに応力がかかった場合には、前記コネクタ取付部を前記応力に従って移動可能にし、前記応力がなくなった場合には、前記コネクタ取付部を移動前の元の位置に戻す、可動取付機構と、を備えて構成されている。【選択図】図８
2008020248.tif 000002
【特許請求の範囲】
【請求項１】
バーンインボードの先端部が挿入され、前記バーンインボード上の配線と電気的に接続されるコネクタが設けられた、コネクタ取付部と、
前記コネクタ取付部が取り付けられる、固定的に設けられた、被取付部と、
前記被取付部にコネクタ取付部を移動可能に取り付けるための可動取付機構であって、前記コネクタに応力がかかった場合には、前記コネクタ取付部を前記応力に従って移動可能にし、前記応力がなくなった場合には、前記コネクタ取付部を移動前の元の位置に戻す、可動取付機構と、
を備えることを特徴とするバーンイン装置。
【請求項２】
前記可動取付機構は、前記コネクタ取付部と前記被取付部との間に設けられた第１弾性部を、備えることを特徴とする請求項１に記載のバーンイン装置。
【請求項３】
前記可動取付機構は、前記コネクタ取付部に穿設された取り付け穴と前記被取付部に穿設された取り付け穴とを貫通する軸部を有する雄側締結具と、前記雄側締結具の前記軸部に螺合された雌側締結具とを有する固着具を、さらに備えることを特徴とする請求項２に記載のバーンイン装置。
【請求項４】
前記可動取付機構は、前記コネクタ取付部における前記第１弾性部と反対側の面に設けられた第２弾性部を、さらに備えることを特徴とする請求項３に記載のバーンイン装置。
【請求項５】
前記第１弾性部及び前記第２弾性部は、それぞれ、前記雄側締結具の前記軸部が貫通する開口を有するゴムワッシャにより構成されている、ことを特徴とする請求項４に記載のバーンイン装置。
【請求項６】
複数取り付けられる前記コネクタ取付部の間の位置に設けられた、第３弾性部であって、前記コネクタ取付部に形成された切り欠き部に嵌め込まれる、第３弾性部を、さらに備えることを特徴とする請求項１乃至請求項５のいずれかに記載のバーンイン装置。
【請求項７】
前記第３弾性部は、前記被取付部に取り付けられており、上下に設けられた前記コネクタ取付部の間で共通に用いられる、ことを特徴とする請求項６に記載のバーンイン装置。
【請求項８】
前記第３弾性部はキューブ型であり、前記コネクタ取付部から前記被取付部に向かう奥行き方向に沿って、スリットが形成されている、ことを特徴とする請求項７に記載のバーンイン装置。
【請求項９】
前記スリットは、前記キューブ型の第３弾性部における、前記奥行き方向に沿った４つの面にそれぞれ形成されている、ことを特徴とする請求項８に記載のバーンイン装置。
【請求項１０】
前記スリットは、前記キューブ型の第３弾性部における、前記奥行き方向に沿った４つの辺にそれぞれ形成されている、ことを特徴とする請求項８に記載のバーンイン装置。
【請求項１１】
前記コネクタ取付部と前記被取付部の一方に設けられたボールプランジャと、前記コネクタ取付部と前記被取付部の他方に設けられて、前記ボールプランジャに対向するボール受けを有する、ボールプランジャ機構を、さらに備えることを特徴とする請求項１乃至請求項５のいずれかに記載のバーンイン装置。
【発明の詳細な説明】
【技術分野】
【０００１】
本発明は、バーンイン装置に関し、特に、バーンインボードの先端部が挿入されるコネクタが設けられたコネクタ取付部を有するバーンイン装置に関する。
【背景技術】
【０００２】
電子部品等のデバイスの初期不良を顕在化し、初期故障品の除去を行うためのスクリーニング試験の一種であるバーンイン（Burn-In）試験を行う装置として、バーンイン装置が知られている。このバーンイン装置では、被試験デバイス（Device Under Test）である電子部品を複数挿入したバーンインボードを恒温槽のチャンバ内に収容し、所定の電圧を印加して電気的ストレスを与えるとともに、恒温槽内部の空気を加熱して所定の温度の熱ストレスを与えることにより、初期不良を顕在化させる。
【０００３】
このようなバーンイン装置では、数時間から数十時間に亘る長時間のバーンイン試験が行われることから、試験効率を向上させるために、複数の被試験デバイスを１枚のバーンインボードに挿入するとともに、このバーンインボードを複数毎、バーンイン装置に収納して、バーンイン試験を行うのが一般的である。
【０００４】
図１は、バーンインボードＢＩＢをコネクタ９１０に挿入する様子を説明するための断面図である。この図１に示すように、チャンバ内においては、挿入されるバーンインボードＢＩＢの先端部９００に対応する位置に、コネクタ９１０が設けられており、このコネクタ９１０にバーンインボードＢＩＢの先端部９００が挿入されることにより、バーンインボードＢＩＢ上の配線がバーンイン装置本体に電気的に接続される。バーンインボードＢＩＢを挿抜する際には、バーンインボードＢＩＢは、スロットのガイド部９０２によりガイドされる。
【０００５】
このバーンインボードＢＩＢの挿入を円滑に行うために、実開平５−６６５７３号公報（特許文献１）は、コネクタ９１０の開口部９１２をテーパー状にすることを開示している。このように開口部９１２をテーパー状に形成することにより、バーンインボードＢＩＢの先端部９００と、コネクタ９１０の開口部９１２の位置関係が多少ずれていたとしても、テーパー状の開口部９１２がバーンインボードＢＩＢの先端部９００を誘導して、バーンインボードＢＩＢの先端部９００がコネクタ９１０に正しく挿入されるようにしている。
【０００６】
図２は、バーンインボードＢＩＢをコネクタ９１０に挿入した状態をバーンインボードＢＩＢ側から見た模式図を示している。この図２に示すように、１枚のコネクタ取付部９２０には、複数のコネクタ９１０が取り付けられている。このため、コネクタ取付部９２０をバーンイン装置に取り付けた際に位置ずれＤｘがあると、これら図１や図２から分かるように、バーンインボードＢＩＢに歪みが生じてしまう。このようなバーンインボードＢＩＢに歪みが生ずると、コネクタ９１０が破損したり、バーンインボードＢＩＢの配線が断線したりするという問題が発生する。
【特許文献１】実開平５−６６５７３号公報
【発明の開示】
【発明が解決しようとする課題】
【０００７】
そこで本発明は、前記課題に鑑みてなされたものであり、コネクタ取付部のコネクタの位置と、バーンインボードの先端部との位置関係に多少のずれがあったとしても、バーンインボードやコネクタに損傷が生じるのを回避したバーンイン装置を提供することを目的とする。
【課題を解決するための手段】
【０００８】
上記課題を解決するため、本発明に係るバーンイン装置は、
バーンインボードの先端部が挿入され、前記バーンインボード上の配線と電気的に接続されるコネクタが設けられた、コネクタ取付部と、
前記コネクタ取付部が取り付けられる、固定的に設けられた、被取付部と、
前記被取付部にコネクタ取付部を移動可能に取り付けるための可動取付機構であって、前記コネクタに応力がかかった場合には、前記コネクタ取付部を前記応力に従って移動可能にし、前記応力がなくなった場合には、前記コネクタ取付部を移動前の元の位置に戻す、可動取付機構と、
を備えることを特徴とする。
【０００９】
この場合、前記可動取付機構は、前記コネクタ取付部と前記被取付部との間に設けられた第１弾性部を、備えるようにしてもよい。
【００１０】
この場合、前記可動取付機構は、前記コネクタ取付部に穿設された取り付け穴と前記被取付部に穿設された取り付け穴とを貫通する軸部を有する雄側締結具と、前記雄側締結具の前記軸部に螺合された雌側締結具とを有する固着具を、さらに備えるようにしてもよい。
【００１１】
この場合、前記可動取付機構は、前記コネクタ取付部における前記第１弾性部と反対側の面に設けられた第２弾性部を、さらに備えるようにしてもよい。
【００１２】
この場合、前記第１弾性部及び前記第２弾性部は、それぞれ、前記雄側締結具の前記軸部が貫通する開口を有するゴムワッシャにより構成されているようにしてもよい。
【００１３】
また、バーンイン装置は、複数取り付けられる前記コネクタ取付部の間の位置に設けられた、第３弾性部であって、前記コネクタ取付部に形成された切り欠き部に嵌め込まれる、第３弾性部を、さらに備えるようにしてもよい。
【００１４】
この場合、前記第３弾性部は、前記被取付部に取り付けられており、上下に設けられた前記コネクタ取付部の間で共通に用いられるようにしてもよい。
【００１５】
この場合、前記第３弾性部はキューブ型であり、前記コネクタ取付部から前記被取付部に向かう奥行き方向に沿って、スリットが形成されているようにしてもよい。
【００１６】
この場合、前記スリットは、前記キューブ型の第３弾性部における、前記奥行き方向に沿った４つの面にそれぞれ形成されているようにしてもよい。
【００１７】
一方、前記スリットは、前記キューブ型の第３弾性部における、前記奥行き方向に沿った４つの辺にそれぞれ形成されているようにしてもよい。
【００１８】
また、バーンイン装置は、前記コネクタ取付部と前記被取付部の一方に設けられたボールプランジャと、前記コネクタ取付部と前記被取付部の他方に設けられて、前記ボールプランジャに対向するボール受けを有する、ボールプランジャ機構を、さらに備えるようにしてもよい。
【発明を実施するための最良の形態】
【００１９】
以下、図面を参照して、本発明の実施形態を説明する。なお、以下に説明する実施形態は、本発明の技術的範囲を限定するものではない。
【００２０】
〔第１実施形態〕
図３は、本発明の第１実施形態に係るバーンイン装置１０の全体的な正面図であり、ドア２０を閉じた状態を示している。図４は、図３のバーンイン装置１０において、正面側を透過して、内部構成の要部を点線で示す図であり、バーンイン装置１０にバーンインボードＢＩＢを挿入した状態を示している。図５は、バーンイン装置１０の内部構成の要部を説明するためのブロック図であり、バーンイン装置１０にバーンインボードＢＩＢを挿入した状態を示している。
【００２１】
これら図３乃至図４に示すように、本実施形態に係るバーンイン装置１０の内部には、断熱壁３０で区画された空間により、チャンバ４０が形成されている。このチャンバ４０の内部には、複数のバーンインボードＢＩＢが収納される。本実施形態の例では、バーンインボードＢＩＢを支持するためのスロット５０が、１２段×４組で配置されており、合計４８枚のバーンインボードＢＩＢを、このチャンバ４０内に収納することが可能である。但し、このチャンバ４０内に収納することの可能なバーンインボードＢＩＢの枚数や、チャンバ４０内におけるバーンインボードＢＩＢの配置は、任意に変更可能である。
【００２２】
また、このバーンイン装置１０には、２枚のドア２０が設けられており、ドア２０を開状態にすることにより、バーンインボードＢＩＢをチャンバ４０から出し入れできるようになる。また、このドア２０にも断熱材が組み込まれており、ドア２０を閉状態にすることにより、周囲から熱的に遮断された空間であるチャンバ４０が構成される。
【００２３】
図３に示すように、本実施形態においては、キャリアラックＣＲごと、チャンバ４０に収納される。すなわち、１２段のバーンインボードＢＩＢを格納したキャリアラックＣＲを、チャンバ４０に収納することにより、１２枚のバーンインボードＢＩＢが各スロット５０に挿入される。したがって、本実施形態に係るバーンイン装置１０には、４台のキャリアラックＣＲを収納することができることとなる。
【００２４】
さらに、チャンバ４０においては、このチャンバ４０の左側、上側、右側と延びる空気循環ダクトＤＴが設けられている。空気循環ダクトＤＴの上側には、ファン７０が設けられている。また、空気循環ダクトＤＴの左側は、空気が通過できる通風板７２により構成されており、上側は空気が通過できない仕切板７４により構成されており、右側は空気が通過できる通風板７６により構成されている。また、ファン７０の下側も、通気が通過できる通風板７８により構成されている。
【００２５】
このため、ファン７０が駆動すると、空気循環ダクトＤＴの左側から、バーンインボードＢＩＢのある領域の空気が吸引され、空気循環ダクトＤＴの上側及び右側を通って、再び、バーンインボードＢＩＢのある領域に送出される。つまり、ファン７０により、チャンバ４０内の空気の循環が形成され、チャンバ４０の内部の空気が攪拌されて、チャンバ４０の内部温度が場所によらずに均一になる。
【００２６】
また、バーンイン装置１０の左側には、冷却ユニット１００が設けられている。この冷却ユニット１００は、２台の冷却コンプレッサ１０２と、２台の熱交換器１０４とにより、構成されている。本実施形態においては、この冷却ユニット１００は、水冷式の冷却方式を採用している。このため、冷却コンプレッサ１０２は、冷却水を循環するためのコンプレッサであり、熱交換器１０４は、冷却水の冷熱を、チャンバ４０の内部の空気と交換するための交換器である。２台の熱交換器１０４は、空気循環ダクトＤＴ内に設けられている。このため、ファン７０により空気が循環すると、循環された空気が熱交換器１０４で冷却され、チャンバ４０の内部の温度を下げることができる。
【００２７】
また、空気循環ダクトＤＴの上側には、ヒーター１２０が設けられている。このヒーター１２０は、例えば電熱ヒーターにより構成されており、ヒーター１２０に電源が供給されると発熱するように構成されている。ヒーター１２０が発熱している状態で、空気循環ダクトＤＴ内の空気を循環させることにより、チャンバ４０内の空気の温度を上げることができる。
【００２８】
一方、バーンイン装置１０の右側には、制御部ＣＬが設けられている。この制御部ＣＬは、予め定められた設定に基づいて、このバーンイン装置１０の制御を行う。本実施形態においては、特に、冷却ユニット１００やヒーター１２０を制御して、バーンインボードＢＩＢの周囲の温度が、ユーザなどにより設定された目標温度になるようにする。
【００２９】
図６は、本実施形態におけるバーンインボードＢＩＢとエクステンションボードＥＸＢとドライバボードＤＲＢとの接続関係を説明する平面図である。図７は、これらバーンインボードＢＩＢとエクステンションボードＥＸＢとドライバボードＤＲＢの図６におけるＡ−Ａ線断面図であり、これらバーンインボードＢＩＢとエクステンションボードＥＸＢとドライバボードＤＲＢの断面を、図３乃至図５におけるバーンイン装置１０の左側から見た状態を示している。
【００３０】
これら図６及び図７に示すように、バーンイン装置１０の外部から挿入されたバーンインボードＢＩＢは、チャンバ４０内において、その先端部ＢＴがコネクタ２００に挿入されて、エクステンションボードＥＸＢに電気的に接続される。エクステンションボードＥＸＢは、ドライバボードＤＲＢに接続されているため、バーンインボードＢＩＢは、このコネクタ２００に挿入されることにより、ドライバボードＤＲＢまで電気的に接続されたこととなる。ドライバボードＤＲＢは、バーンイン試験を行うのに必要な信号や電源を、エクステンションボードＥＸＢを介して、バーンインボードＢＩＢに供給し、バーンインボードＢＩＢは生成された信号を、エクステンションボードＥＸＢを介して、ドライバボードＤＲＢに送信する。
【００３１】
コネクタ２００は、コネクタ取付部３００に取り付けられており、コネクタ取付部３００は、バーンイン装置１０に固定された被取付部４００に取り付けられている。また、詳しくは後述するが、本実施形態では、このコネクタ取付部３００は、被取付部４００に対して、僅かであるが移動できるように取り付けられている。
【００３２】
図８は、被取付部４００にコネクタ取付部３００を取り付ける様子を説明するための斜視図である。図９は、図８を正面から見た図であり、コネクタ取付部３００と弾性部６００との配置を説明するための図である。
【００３３】
これら図８及び図９に示すように、バーンイン装置１０内に固定的に設けられている被取付部４００は、正面板４０２が設けられており、この正面板４０２には、１つのキャリアラックに収納されるバーンインボードＢＩＢと同じ数だけの開口部４１０が形成されている。すなわち、本実施形態においては、被取付部４００の正面板４０２には、１２個の開口部４１０が形成されている。開口部４１０は、コネクタ取付部３００と同様に、バーンインボードＢＩＢの幅方向に長く開口して形成されている。また、バーンイン装置１０には、このような被取付部４００が、収納されるキャリアラックＣＲの配置に合わせて、２×２の４個、設けられていることとなる。
【００３４】
各開口部４１０の位置に合わせて、コネクタ取付部３００が取り付けられる。コネクタ取付部３００には、上側に６個の取り付け穴３１０が穿設されており、下側には５個の取り付け穴３１０が穿設されている。この取り付け穴３１０に対応する被取付部４００の位置には、取り付け穴４２０が穿設されている。
【００３５】
コネクタ取付部３００を被取付部４００に取り付ける際には、図９のＢ−Ｂ線断面図である図１０にも示すように、正面板４０２の裏側から、螺旋状のネジ溝が形成されたボルト５００の軸部を、取り付け穴４２０に挿入する。続いて、正面板４０２の表側から、このボルト５００の軸部に、ゴムワッシャ５１０の開口と、取り付け穴３１０と、ゴムワッシャ５２０の開口とを、順番に貫通させる。そして、螺旋状のネジ溝の形成されたナット５３０を、コネクタ取付部３００の表側からボルト５００の軸部に螺合して、締め付ける。このような取付手法で、１１個の取り付け穴３１０と取り付け穴４２０を締結することにより、コネクタ取付部３００が被取付部４００に取り付けられる。
【００３６】
本実施形態では、これらボルト５００とゴムワッシャ５１０、５２０とナット５３０とにより、コネクタ２００に応力がかかった場合には、コネクタ取付部３００を応力に従って移動可能にし、この応力がなくなった場合には、コネクタ取付部３００を移動前の元の位置に戻す、可動取付機構が構成されている。但し、ボルト５００は軸部を有する雄側締結具の一例であり、ナット５３０は、ボルト５００の軸部に螺合する雌側締結具の一例である。そして、雄側締結具と雌側締結具とにより、本実施形態における固着具が構成されている。
【００３７】
さらに、ゴムワッシャ５１０は被取付部４００とコネクタ取付部３００との間に挿入される弾性部の一例であり、ゴムワッシャ５２０はコネクタ取付部３００とナット５３０との間に挿入される弾性部の一例であり、いずれのゴムワッシャ５１０、５２０も、その構成材料は弾性材料であれば任意である。但し、ゴムワッシャ５１０の厚さは、ゴムワッシャ５２０の厚さより、厚い方が望ましい。これは、ゴムワッシャ５１０が主として、加わった応力に応じたコネクタ取付部３００の移動を、可能ならしめているからである。
【００３８】
さらに、図８及び図９に示すように、コネクタ取付部３００には、４つの切り欠き部３２０が形成されている。すなわち、コネクタ取付部３００の上側の両端側の２カ所、下側の両端側の２カ所に、切り欠き部３２０が形成されている。各切り欠き部３２０の位置に合わせて、被取付部４００の正面板４０２には、取り付け穴４３０が穿設されている。
【００３９】
また、各切り欠き部３２０には、キューブ型の弾性部６００が嵌め込まれる。図１１は、切り欠き部３２０と弾性部６００の部分を拡大して示す斜視図である。この弾性部６００の材料は、弾性材料であれば任意であるが、本実施形態では、例えば、フッ素系のゴムブッシュや、シリコンゴムブッシュなどにより構成されている。
【００４０】
この図１１から分かるように、キューブ形状をなしている弾性部６００の幅Ｌ１と、切り欠き部３２０の幅Ｌ２は、ほとんど同じか、又は、弾性部６００の幅Ｌ１が切り欠き部３２０の幅Ｌ２よりも僅かに小さくなるように構成されている。また、キューブ形状をなしている弾性部６００の高さＬ３は、切り欠き部３２０の高さの２倍とほんんど同じか、又は、僅かに小さくなるように構成されている。キューブ形状をなしている弾性部６００の奥行きＬ５の長さは任意であるが、少なくとも、ゴムワッシャ５１０の厚さとコネクタ取付部３００の厚さの合計よりも、長い必要がある。
【００４１】
キューブ形状をなしている弾性部６００における奥行き方向に沿った４つの面には、それぞれ、スリット６１０が形成されている。すなわち、弾性部６００の奥行き方向に沿って、４つのスリット６１０が形成されている。これらスリット６１０は、弾性部６００に応力が加わった場合に、弾性部６００が変形して歪むのを容易化する働きを有している。
【００４２】
また、弾性部６００の中央部分には、貫通孔６２０が形成されている。この貫通孔６２０は、弾性部６００の奥行き方向に沿って形成されている。すなわち、貫通孔６２０とスリット６１０は互いに並列に形成されている。貫通孔６２０の内側には、金属等の剛性材料で形成された筒状の貫通パイプ６２２が挿入されている。
【００４３】
この図１２は、図９のＣ−Ｃ線断面図であり、弾性部６００を被取付部４００に取り付けた状態を示している。この図１２及び図１１に示すように、弾性部６００を被取付部４００に取り付ける際には、弾性部６００の表側から、螺旋状のネジ溝の形成されたボルト６３０の軸部を、貫通パイプ６２２に挿入する。さらに、ボルト６３０の軸部を、被取付部４００の取り付け穴４３０に挿入し、被取付部４００の裏側に突出したボルト６３０の軸部に、螺旋状のネジ溝が形成されたナット６４０を螺合し、締め付ける。これにより、弾性部６００が被取付部４００に取り付けられる。
【００４４】
本実施形態におけるボルト６３０は軸部を有する雄側締結具の一例であり、ナット６４０は、ボルト６３０の軸部に螺合する雌側締結具の一例である。そして、雄側締結具と雌側締結具とにより、本実施形態における固着具が構成されている。
【００４５】
また、図１２から分かるように、剛性のある貫通パイプ６２２を介在して、ボルト６３０とナット６４０が締め付けられるので、この締め付けにより、弾性部６００自体に応力がかからないようになる。このため、締め付けにより、弾性部６００の弾性に悪影響を与えることなく、弾性部６００の自由な変形を可能にできる。
【００４６】
さらに、図９及び図１１から分かるように、この弾性部６００が被取付部４００に取り付けられた状態で、コネクタ取付部３００の切り欠き部３２０に、弾性部６００が嵌め込まれる。
【００４７】
本実施形態では、１つの弾性部６００は、上下に隣接するコネクタ取付部３００で共通に使用される。すなわち、上側に位置するコネクタ取付部３００の切り欠き部３２０と、下側に位置するコネクタ取付部３００の切り欠き部３２０との双方に、１つの弾性部６００が嵌め込まれる。換言すれば、弾性部６００の上側半分が、上側に位置するコネクタ取付部３００の切り欠き部３２０に嵌め込まれ、弾性部６００の下側半分が、下側に位置するコネクタ取付部３００の切り欠き部３２０に嵌め込まれる。
【００４８】
コネクタに応力がかかった場合には、これら弾性部６００が変形し、コネクタ取付部３００を応力に従って移動可能にし、この応力がなくなった場合には、コネクタ取付部３００を移動前の元の位置に戻すのを補助する。
【００４９】
さらに、コネクタ取付部３００には、３つのコネクタ２００が取り付けられている。すなわち、コネクタ取付部３００の幅方向に沿って、３つのコネクタ２００が並んで取り付けられている。各コネクタ２００には、図６及び図７で述べたように、バーンインボードＢＩＢの先端部ＢＴが挿入され、エクステンションボードＥＸＢと電気的に接続される。すなわち、図８における被取付部４００の奥側には、エクステンションボードＥＸＢが収納されることとなる。なお、コネクタ取付部３００に取り付けるコネクタ２００の数は任意であり、１つでもよく、或いは、複数でもよい。
【００５０】
また、図８、図１０、図１２に示すように、コネクタ２００は、ボルト２１０とナット２２０により、コネクタ取付部３００に取り付けられる。本実施形態では、コネクタ２００は固定的にコネクタ取付部３００に取り付けられている。但し、コネクタ２００をどのような手法によりコネクタ取付部３００に取り付けるかは、任意であり、種々の手法で取り付け可能である。
【００５１】
以上のように、本実施形態に係るバーンイン装置１０によれば、コネクタ２００の設けられたコネクタ取付部３００が、被取付部４００に対して相対的に移動できるので、バーンインボードＢＩＢがコネクタ２００に挿入された際に、多少のずれが生じたとしても、コネクタ取付部３００が移動することにより、バーンインボードＢＩＢの先端部ＢＴをスムーズにコネクタ２００に挿入することができるとともに、バーンインボードＢＩＢの先端部ＢＴやコネクタ２００に無理な応力がかかるのを抑制することができる。
【００５２】
すなわち、バーンインボードＢＩＢの先端部ＢＴの位置と、コネクタ２００の位置との間に、多少のずれがあったとしても、コネクタ取付部３００を被取付部４００に取り付けているゴムワッシャ５１０、５２０や弾性部６００が歪んで変形し、コネクタ取付部３００を応力に従って移動させることができる。このため、バーンインボードＢＩＢの先端部ＢＴに過度の応力がかからないようになり、バーンインボードＢＩＢが歪んだり、バーンインボードＢＩＢの配線が断線したり、コネクタ２００が破損したりするのを、抑制することができる。
【００５３】
また、バーンインボードＢＩＢがコネクタ２００から抜去されて、コネクタ取付部３００にかかっていた応力がなくなった場合には、ゴムワッシャ５１０、５２０や弾性部６００の変形が元に戻り、コネクタ取付部３００は移動前の位置に戻ることができる。
【００５４】
〔第２実施形態〕
本発明の第２実施形態は、上述した第１実施形態におけるキューブ型の弾性部６００を変形したものである。以下、上述した第１実施形態と異なる部分を説明する。
【００５５】
図１３は、本実施形態に係る弾性部７００の斜視図である。この弾性部７００は、上述した第１実施形態の弾性部６００に相当する部品である。この図１３に示すように、本実施形態に係る弾性部７００においては、奥行き方向の４つの辺に沿って、スリット７１０が形成されている。すなわち、奥行き方向に延びる４つのスリット７１０が、４つの辺のそれぞれに形成されている。そして、このスリット７１０により、弾性部７００の変形を容易ならしめている。
【００５６】
これ以外の構成は、上述した第１実施形態における弾性部６００と同様であり、貫通孔６２０には貫通パイプ６２２が挿入されている。また、幅Ｌ１、高さＬ３、奥行きＬ５の条件も、上述した第１実施形態と同様である。この弾性部７００が、第１実施形態の弾性部６００の代わりに、バーンイン装置１０の被取付部４００に取り付けられて、コネクタ取付部３００の切り欠き部３２０に嵌め込まれる。
【００５７】
以上のように、本実施形態に係るバーンイン装置１０によっても、コネクタ２００の設けられたコネクタ取付部３００が、被取付部４００に対して相対的に移動できるので、バーンインボードＢＩＢがコネクタ２００に挿入された際に、多少のずれが生じたとしても、コネクタ取付部３００が移動することにより、バーンインボードＢＩＢの先端部ＢＴをスムーズにコネクタ２００に挿入することができるとともに、バーンインボードＢＩＢの先端部ＢＴやコネクタ２００に無理な応力がかかるのを抑制することができる。
【００５８】
〔第３実施形態〕
本発明の第３実施形態は、上述した弾性部６００、７００に代えて、ボールプランジャ機構を設けたものである。以下、上述した第１実施形態及び第２実施形態と異なる部分を説明する。
【００５９】
図１４は、本実施形態に係るコネクタ取付部３００Ａの平面図である。この図１４に示すコネクタ取付部３００Ａは、上述した実施形態におけるコネクタ取付部３００に相当している。
【００６０】
また、コネクタ取付部３００Ａには、上述したコネクタ取付部３００と同様に、１１個の取り付け穴３１０が形成されている。この取り付け穴３１０には、上述した第１実施形態及び第２実施形態と同様に、取り付け穴４２０とゴムワッシャ５１０とを貫通したボルト５００が挿入され、ゴムワッシャ５２０とともに、ナット５３０を締め付けることによりに、被取付部４００に取り付けられる。したがって、図１４のＤ−Ｄ線断面は、上述した図１０と同様になる。
【００６１】
但し、上述したコネクタ取付部３００と異なり、本実施形態に係るコネクタ取付部３００Ａには、切り欠き部３２０は形成されていない。その代わりに、図１５に示すように、４つの取り付け穴８００が穿設されている。
【００６２】
この図１５は、図１４のＥ−Ｅ線断面図であり、ボールプランジャ８１０とボール受け部８２０とから構成されたボールプランジャ機構ＢＰを用いて、コネクタ取付部３００Ａが、被取付部４００に位置決めされた状態を示している。また、図１６は、図１５のＦ部分を拡大して示す図である。
【００６３】
これら図１５及び図１６に示すように、被取付部４００の正面板４０２には、ボールプランジャ８１０が固定的に取り付けられている。本実施形態では、正面板４０２に穿設された取り付け穴４４０に、被取付部４００の表側からボールプランジャ本体部８１２の軸部を貫通させる。続いて、被取付部４００の裏側から、ボールプランジャ本体部８１２の軸部に形成されている螺旋状のネジ溝に、同じく螺旋状のネジ溝が形成されたナット８１４を螺合し、締め付ける。これにより、ボールプランジャ８１０が被取付部４００の正面板４０２に取り付けられる。
【００６４】
一方、コネクタ取付部３００Ａには、ボールプランジャ８１０に対応する位置に、ボール受け部８２０が固定的に取り付けられている。ボール受け部８２０を取り付ける際には、コネクタ取付部３００Ａの裏側から、コネクタ取付部３００Ａに穿設された取り付け穴８００に、ボール受け部本体部８２２の軸部を貫通させる。このボール受け部本体部８２２の軸部には螺旋状のネジ溝が形成されており、コネクタ取付部３００Ａの表側から、螺旋状のネジ溝が形成されたナット８２４を、ボール受け部本体部８２２の軸部に螺合して、締め付ける。これにより、ボール受け部８２０がコネクタ取付部３００Ａに取り付けられる。
【００６５】
なお、ここで説明したボールプランジャ８１０の取付手法、及び、ボール受け部８２０の取付手法は一例に過ぎず、他の手法により、ボールプランジャ８１０やボール受け部８２０を取り付けるようにしてもよい。
【００６６】
ボールプランジャ本体部８１２の先端部には、ボール８１６が設けられており、このボール８１６は、図示しないスプリング等により、ボール受け部８２０方向に付勢されている。一方、ボール受け部８２０のボール受け部本体部８２２には、切り欠き凹部８２６が形成されており、この切り欠き凹部８２６に、ボール８１６の一部が嵌め込まれて、ボールプランジャ８１０とボール受け部８２０との間が位置決めされる。すなわち、切り欠き凹部８２６に、ボール８１６が着座することにより、ボールプランジャ８１０とボール受け部８２０とが位置決めされ、結果的に、コネクタ取付部３００Ａと被取付部４００とが位置決めされる。
【００６７】
図１４に示すように、本実施形態においては、１枚のコネクタ取付部３００Ａには、ボールプランジャ機構ＢＰが、４カ所のコーナー部分に設けられている。但し、このボールプランジャ機構ＢＰの数は任意であり、１又は複数であればよい。また、このボールプランジャ機構ＢＰの設ける位置も任意である。例えば、１枚のコネクタ取付部３００Ａに２つのボールプランジャ機構ＢＰを設けることとした場合には、コネクタ取付部３００Ａの対角線上の対向する位置に、１つずつボールプランジャ機構ＢＰを設けるようにしてもよい。
【００６８】
このようなボールプランジャ機構ＢＰを用いて、コネクタ取付部３００Ａと被取付部４００との間が位置決めされるようにした場合には、バーンインボードＢＩＢとコネクタ取付部３００Ａとの間にずれが生じて、コネクタ取付部３００Ａに応力がかかっても、コネクタ取付部３００Ａが被取付部４００から相対的に移動することができる。
【００６９】
すなわち、図１７に示すように、ボールプランジャ８１０のボール８１６が、ボール受け部８２０の切り欠き凹部８２６から迫り上がり、コネクタ取付部３００Ａの移動を妨げない。ボール８１６が迫り上がっている間は、ボール８１６を付勢するスプリング等は、縮退した状態になっている。
【００７０】
そして、バーンインボードＢＩＢが抜去された場合には、コネクタ取付部３００Ａにかかっている応力がなくなるので、上述した可動取付機構の力により、コネクタ取付部３００Ａは再びもとの位置に戻ろうとする。さらに、本実施形態では、ボールプランジャ８１０のボール８１６を付勢するスプリング等が伸張しようとするので、ボール８１６も、再び図１６に示すように、ボール受け部８２０の切り欠き凹部８２６に着座する。このため、コネクタ取付部３００Ａが再び元の位置に位置決めされることとなる。
【００７１】
以上のように、本実施形態に係るバーンイン装置１０によっても、コネクタ２００の設けられたコネクタ取付部３００Ａが、被取付部４００に対して相対的に移動できるので、バーンインボードＢＩＢがコネクタ２００に挿入された際に、多少のずれが生じたとしても、コネクタ取付部３００Ａが移動することにより、バーンインボードＢＩＢの先端部ＢＴをスムーズにコネクタ２００に挿入することができるとともに、バーンインボードＢＩＢの先端部ＢＴやコネクタ２００に無理な応力がかかるのを抑制することができる。
【００７２】
なお、本実施形態においては、被取付部４００にボールプランジャ８１０を設け、コネクタ取付部３００Ａにボール受け部８２０を設けたが、これを入れ替えてもよい。すなわち、被取付部４００にボール受け部８２０を設け、コネクタ取付部３００Ａにボールプランジャ８１０を設けるようにしてもよい。
【００７３】
なお、本発明は上記実施形態に限定されず種々に変形可能である。例えば、上述した第１実施形態及び第２実施形態においては、弾性部６００、７００は、必ずしも必要な部品ではなく、ゴムワッシャ５１０、５２０により、コネクタ取付部３００が移動可能に被取付部４００に取り付けられていれば、省くことも可能である。同様に、上述した第３実施形態においては、ボールプランジャ機構ＢＰは必ずしも必要な機構ではなく、ゴムワッシャ５１０、５２０により、コネクタ取付部３００が移動可能に被取付部４００に取り付けられていれば、省くことも可能である。
【００７４】
さらに、上述した実施形態では、可動取付機構にゴムワッシャ５１０とゴムワッシャ５２０の２つの弾性部を設けたが、ゴムワッシャ５２０は省略することも可能である。すなわち、コネクタ取付部３００、３００Ａと被取付部４００との間に設けられているゴムワッシャ５１０が設けられていれば、コネクタ取付部３００、３００Ａの応力に応じた移動は、可能であると考えられる。
【００７５】
また、上述した第１実施形態及び第２実施形態では、弾性部６００、７００を、上下に位置するコネクタ取付部３００で共通に使用することとしたが、この弾性部６００、７００は、各コネクタ取付部３００に個別に設けるようにしても良い。すなわち、上下に位置するコネクタ取付部３００で弾性部６００、７００を共通に使用するのではなく、個別に使用するように、弾性部６００、７００を配置してもよい。
【００７６】
また、上述した第１実施形態における弾性部６００のスリット６１０や、第２実施形態における弾性部７００のスリット７１０の位置や数は任意に変更可能である。すなわち、弾性部６００、７００の変形を容易ならしめるために、スリット６１０、７１０を適宜設けることが可能である。また、これらスリット６１０、７１０を形成しないようにすることも可能である。スリット６１０、７１０を形成しない場合、弾性部６００、７００の弾性係数に依存して、弾性部６００、７００が変形することとなる。
【図面の簡単な説明】
【００７７】
【図１】バーンインボードをコネクタに挿入する様子を説明するための断面図。
【図２】バーンインボードをコネクタに挿入した状態を、バーンインボード側から見た図。
【図３】第１実施形態乃至第３実施形態に係るバーンイン装置の正面図。
【図４】図３において、正面側を透過して、バーンイン装置の内部構成を説明する図。
【図５】図３のバーンイン装置の内部構成を説明するための正面ブロック図。
【図６】バーンインボードとエクステンションボードとドライバボードの接続関係を説明する平面図。
【図７】バーンインボードとエクステンションボードとドライバボードの接続関係を説明するための、図６におけるＡ−Ａ線断面図。
【図８】コネクタ取付部を被取付部に取り付ける様子を説明するための斜視図。
【図９】コネクタ取付部とキューブ型の弾性部との配置を説明するための正面図。
【図１０】可動取付部とコネクタの構成を説明するための、図９におけるＢ−Ｂ線断面図。
【図１１】キューブ型の弾性部を被取付部に取り付けて、コネクタ取付部の切り欠き部に嵌め込む様子を説明するための斜視図。
【図１２】キューブ型の弾性部の構成を説明するための、図９におけるＣ−Ｃ線断面図。
【図１３】第２実施形態に係るキューブ型の弾性部の構成を説明するための斜視図。
【図１４】第３実施形態に係るコネクタ取付部の正面図。
【図１５】ボールプランジャ機構の構成を説明するための、図１４におけるＥ−Ｅ線断面図。
【図１６】図１５のＦ部分の拡大図（切り欠き凹部にボールが着座している状態を示す図）。
【図１７】図１５のＦ部分の拡大図（切り欠き凹部からボールが離脱している状態を示す図）。
【符号の説明】
【００７８】
１０  バーンイン装置
２０  ドア
３０  断熱壁
４０  恒温槽
５０  スロット
７０  ファン
１００  冷却ユニット
１２０  ヒーター
ＢＩＢ  バーンインボード
ＣＬ  制御部
ＣＲ  キャリアラック
ＤＴ  空気循環ダクト
【図１】
2008020248.tif 000003
【図２】
2008020248.tif 000004
【図３】
2008020248.tif 000005
【図４】
2008020248.tif 000006
【図５】
2008020248.tif 000007
【図６】
2008020248.tif 000008
【図７】
2008020248.tif 000009
【図８】
2008020248.tif 000010
【図９】
2008020248.tif 000011
【図１０】
2008020248.tif 000012
【図１１】
2008020248.tif 000013
【図１２】
2008020248.tif 000014
【図１３】
2008020248.tif 000015
【図１４】
2008020248.tif 000016
【図１５】
2008020248.tif 000017
【図１６】
2008020248.tif 000018
【図１７】
2008020248.tif 000019